(57)【特許請求の範囲】
【請求項１】
演奏曲のカラオケデータを、演奏曲の属性を規定する属性情報と対応付けて記憶するカラオケデータ記憶手段と、
所望の演奏曲を選曲するための選曲手段と、
その選曲された演奏曲のカラオケデータに基づいてカラオケ演奏を行うカラオケ演奏手段と、
前記属性情報により規定される属性毎に、前記選曲手段による演奏曲の選曲頻度を計数する選曲カウンタと、
前記選曲頻度が最大となっている属性に係る演奏曲のリストを作成するリスト作成手段と、
曲演奏が行われていない場合に、前記リスト作成手段により作成された演奏曲のリストを表示して、その演奏曲リストからの選曲を可能とするリスト表示手段と、
を備えたことを特徴とするカラオケ装置。
【請求項２】
前記カラオケデータは演奏曲の歌詞データを含むものとされ、
その歌詞データに基づいて前記演奏曲の歌詞テロップを表示する歌詞表示手段が設けられ、
該歌詞表示手段は、曲演奏が行われていない場合には、前記演奏曲のリストを表示するリスト表示手段に兼用されている請求項１記載のカラオケ装置。
【請求項３】
前記選曲カウンタは、前記各演奏曲毎の選曲頻度も計数するものとされ、
前記リスト表示手段は、各演奏曲毎の選曲頻度に基づいて前記演奏曲のリストを表示するものとされている請求項１又は２に記載のカラオケ装置。
【請求項４】
対象とするカラオケ装置に備えられているすべて又は一部の演奏曲の曲特定情報を、それら演奏曲の属性を規定する属性情報と対応付けて記憶する曲特定情報記憶手段と、
所望の演奏曲の曲特定情報を前記カラオケ装置側へ送信することにより選曲を行う選曲手段と、
前記属性情報により規定される属性毎に、前記選曲手段による演奏曲の選曲頻度を計数する選曲カウンタと、
前記選曲頻度が最大となっている属性に係る演奏曲のリストを作成するリスト作成手段と、
前記カラオケ装置で曲演奏が行われていない場合に、前記リスト作成手段により作成された演奏曲のリストデータを前記カラオケ装置側へ送信し、その演奏曲のリストを前記カラオケ装置に備えられているリスト表示手段に表示して、その演奏曲リストからの選曲を可能とするための制御部と、
を備えたことを特徴とするカラオケ用選曲装置。
【請求項５】
前記選曲カウンタは、前記各演奏曲毎の選曲頻度も計数するものとされ、
前記制御部は、前記リスト表示手段に対し、各演奏曲毎の選曲頻度に基づいて前記演奏曲のリストを表示するように指令する請求項４記載のカラオケ用選曲装置。
【発明の詳細な説明】
【０００１】
【発明の属する技術分野】
本発明はカラオケ装置及びカラオケ用選曲装置に関する。
【０００２】
【従来の技術】
従来、カラオケを楽しむ時には、カラオケ装置に添付されている曲名ガイドブック（歌本）をめくりながら歌いたい曲を選び、その曲番号等を入力すると、その曲の演奏が行われるのが普通である。
【０００３】
【発明が解決しようとする課題】
ところで、例えば観光バス等において乗客にカラオケを楽しんでもらうために、車内にカラオケ装置が搭載されることがある。この場合、数十人の乗客に対し、カラオケ曲のガイドブックが１、２冊程度しか用意されていないことがあり、ガイドブックがなかなかまわってこないために自由に選曲できなくなる問題が生ずる。さらに１人がガイドブックにかじりついて選曲に没頭してしまうと、カラオケ演奏そのものが滞ってしまい、装置の稼働効率が悪くなる欠点がある。
【０００４】
本発明の課題は、バスの車内等のように多人数でカラオケを利用する場合に、曲名ガイドブックを参照しなくとも選曲を効率的に行うことができるカラオケ装置及びカラオケ用選曲装置を提供することにある。
【０００５】
【課題を解決するための手段及び作用・効果】
上述の課題を解決するために、本発明のカラオケ装置は下記の要件を含んで構成されることを特徴とする。
［１］カラオケデータ記憶手段：演奏曲のカラオケデータを、演奏曲の属性を規定する属性情報と対応付けて記憶する。
［２］選曲手段：所望の演奏曲を選曲する。
［３］カラオケ演奏手段：その選曲された演奏曲のカラオケデータに基づいてカラオケ演奏を行う。
［４］選曲カウンタ：属性情報により規定される属性毎に、選曲手段による演奏曲の選曲頻度を計数する。
［５］リスト作成手段：選曲頻度が最大となっている属性に係る演奏曲のリストを作成する。
［６］リスト表示手段：曲演奏が行われていない場合に、リスト作成手段により作成された演奏曲のリストを表示して、その演奏曲リストからの選曲を可能とする。
【０００６】
上述の構成によれば、曲がジャンルや年代等の属性により区分され、選曲頻度が最大となっている属性の演奏曲のリストがリスト表示手段に表示される。従って、人気の高い属性の曲については、その表示された演奏曲リストを見て選曲すればよく、ひいてはガイドブックの数が少ない場合でも利用者は自由に選曲することが可能となり、装置の稼働効率も向上する。
【０００７】
上記カラオケ装置においては、カラオケデータを演奏曲の歌詞データを含むものとすることができ、この歌詞データに基づいて演奏曲の歌詞テロップを表示する歌詞表示手段を設けることができる。そして、この歌詞表示手段を、曲演奏が行われていない場合には、演奏曲のリストを表示するリスト表示手段に兼用することができる。こうすれば、演奏曲リストが参照しやすくなり、また曲演奏の合間を利用して選曲できるので便利である。
【０００８】
次に選曲カウンタは、各演奏曲毎の選曲頻度も計数するものとすることができる。この場合、リスト表示手段は、各演奏曲毎の選曲頻度に基づいて演奏曲のリストを表示するものとすることができる。例えば、選曲頻度の高い順に曲を並べてリスト表示すれば、人気の高い曲の選曲が容易になる。
【０００９】
また、本発明のカラオケ用選曲装置は、下記の要件を含んで構成されることを特徴とする。
［１］曲特定情報記憶手段：対象とするカラオケ装置に備えられているすべて又は一部の演奏曲の曲特定情報を、それら演奏曲の属性を規定する属性情報と対応付けて記憶する。
［２］選曲手段：所望の演奏曲の曲特定情報をカラオケ装置側へ送信することにより選曲を行う。
［３］選曲カウンタ：属性情報により規定される属性毎に、選曲手段による演奏曲の選曲頻度を計数する。
［４］リスト作成手段：選曲頻度が最大となっている属性に係る演奏曲のリストを作成する。
［５］制御部：カラオケ装置で曲演奏が行われていない場合に、リスト作成手段により作成された演奏曲のリストデータをカラオケ装置側へ送信し、その演奏曲のリストをカラオケ装置に備えられているリスト表示手段に表示して、その演奏曲リストからの選曲を可能とする。
【００１０】
該選曲装置も、前述のカラオケ装置と同様に、選曲カウンタが各演奏曲毎の選曲頻度も計数するものとし、制御部は、カラオケ装置のリスト表示手段に対し各演奏曲毎の選曲頻度に基づいて演奏曲のリストを表示するように指令することができる。
【００１１】
【発明の実施の形態】
（実施例１）
以下、本発明のカラオケ装置の実施の形態を、いくつかの実施例により図面を用いて説明する。
図１は、本発明のカラオケ装置１の構成を示すブロック図である。カラオケ装置１は、いわゆる通信カラオケ装置として構成されており、ホストコンピュータ２から公共の電話回線等の通信手段３を介して、カラオケ装置の中核部であるカラオケコマンダ４へ、演奏曲の楽音データを含むカラオケデータが送られる。このカラオケコマンダ４に、歌詞テロップや背景映像、さらに演奏曲のリストを表示するＣＲＴ等のモニタ７（歌詞表示手段、リスト表示手段）、アンプミキサ８等が接続され、アンプミキサ８にマイク５、スピーカ６がつながれる。また、カラオケコマンダ４には、背景映像再生装置２０が接続されている。
【００１２】
背景映像再生装置２０は、例えば光学式ビデオディスク（ＬＤ）再生装置等で構成されており、ＬＤ等からなる背景映像データ記憶部２６には、各演奏曲に一対一に対応する背景映像データ、もしくは各曲と一対一では対応しない幾つかの異なる背景映像データがそれぞれ記憶されている。
【００１３】
カラオケコマンダ４はカラオケ制御部１０を備え、ここにＣＰＵ１１、ＲＯＭ１２、ＲＡＭ１３等を内蔵していて、カラオケ装置１の全体の制御を司る。カラオケ制御部１０には、ホストコンピュータ２からカラオケデータを受信するためのモデム１５、ホストコンピュータ２から配信されるカラオケデータを蓄積するカラオケデータ記憶部１６、その記憶部１６に記憶された楽音データに基づいて曲を合成する楽音合成部１７、モニタ制御部１８、選曲手段としての入力部１９等が接続されている。
【００１４】
カラオケデータ記憶部１６の楽音データ記憶部２４には、多数の演奏曲の楽音データが曲番号と対応付けて記憶される。この楽音データは、例えばＭＩＤＩ（Musical Instrument Digital Interface）規格に基づいて構成され、その情報は少なくとも音階、音の強さ、音の長さ、音色等のデータを含む。
【００１５】
歌詞データ記憶部２５には各演奏曲の歌詞データが、また、選曲データ記憶部２７には、各演奏曲に対応する選曲データが記憶されている。選曲データは、図４に示すように、各演奏曲の曲番号６０、歌手名６１、曲名６２、さらに属性情報として演奏曲のジャンル６３（ポップス、ロック、演歌等）及び発売時期６４等のデータをそれぞれ互いに対応付けた形で記憶されている。また、選曲データとしてはこの他に、歌詞のキーワード（歌い出し部分の歌詞を含む）、作曲者名、作詞者名、編曲名等も記憶しておくことができる。この選曲データのうち、例えばジャンル６３あるいは発売時期６４等、その少なくとも一部のものは、演奏曲を区分する属性情報としても使用される。
【００１６】
カラオケデータ記憶部１６の選曲カウンタ２８には、図５に示すように、属性情報としての各ジャンル６３（Ａ〜Ｚ）のそれぞれに一対一に対応してカウンタ６５が設けられており、演奏曲の選曲頻度がジャンル毎に計数されるようになっている。なお、本実施例では属性情報が演奏曲のジャンル６３とされているが、例えば図６に示すように、演奏曲の発売時期６４等を属性情報としてもよい。
【００１７】
図１に戻って、楽音合成部１７は例えばシンセサイザ等で構成され、楽音データ記憶部２４から送られてくる楽音データに基づいて各楽器の演奏信号を合成（生成）する音源となる。この演奏信号は、アンプミキサ８に送られて増幅されるとともに、マイク５を介して入力される利用者の歌声と適度の割合でミキシングされ、スピーカ６から出力される。すなわち、これら楽音合成部１７、アンプミキサ８、スピーカ６等がカラオケ演奏手段を構成している。
【００１８】
次に、モニタ制御部１８は、歌詞データ記憶部２５から送られてくる歌詞データ及び背景映像データ記憶部２６から送られてくる背景映像データを、モニタ７に視覚的に表示可能な映像信号に変換し、それに基づく歌詞テロップと背景映像とを合成してモニタ７に表示するとともに、曲の演奏の進行に同期して歌詞テロップを順次反転させ、該当する歌唱部分を利用者に知らせる役割を果たす。一方、曲演奏が行われない場合には、図７に示すように、後述するリスト作成手段（リスト作成プログラム１２ｅ）により作成された演奏曲のリスト（演奏曲リスト表示画面７ａ）がモニタ７に表示されるようになっている。
【００１９】
また、入力部１９は図３に示すように、利用者が歌いたい曲を予約するためのその曲番号等を入力する操作キー１９ａ、及びモニタ７のリスト表示画面（後述）等において、選択カーソルを移動させるためのカーソル移動キー１９ｂ等を備えている。なお、本実施例では入力部１９は、赤外線発生器等の無線送信部１９ｃを備えたリモコンユニットとして構成されているが、カラオケコマンダ４と有線により接続されたものとして構成したり、カラオケコマンダ４に一体的に組み込まれたものとして構成することもできる。
【００２０】
次に、図２に示すように、カラオケ制御部１０のＲＯＭ１２には、下記のプログラムが格納されている。
［１］音楽演奏プログラム１２ａ：楽音データ記憶部２４から楽音データを読み出して曲の演奏を行う処理を司る。
［２］歌詞出力プログラム１２ｂ：歌詞データ記憶部２５に記憶された歌詞データに基づいて歌詞テロップをモニタ７に出力する処理を司る。
［３］背景映像出力プログラム１２ｃ：背景映像再生装置２０（図１）を制御して、背景映像をモニタ７に出力させる処理を司る。
［４］選曲プログラム１２ｄ：入力部１９からの入力内容に基づいて演奏曲を選曲する処理を司る。
［５］リスト作成プログラム１２ｅ：選曲カウンタ２８（図５）において、カウント値（選曲頻度）が最大となっているジャンル６３（Ａ〜Ｚ）に属する演奏曲のリストを作成する。ここで、作成される演奏曲のリストは、例えば図７に示すように、曲番号６０、歌手名６１及び曲名６２等の情報を含むものとすることができる。
【００２１】
また、ＲＡＭ１３には下記のメモリが設けられている。
［１］曲予約メモリ１３ａ：入力部１９から入力された曲番号が記憶されて曲演奏を予約する。
［２］リストデータメモリ１３ｂ：リスト作成プログラム１２ｅの実行により作成された演奏曲のリストデータ７０（図８）を格納する。
以下、これらプログラムに基づくカラオケ装置１の作動をフローチャートを使用して説明する。
【００２２】
すなわち、図９のＳ１において、選曲を行なわない場合はＳ２〜Ｓ４に進んで演奏曲のリスト作成処理を行なう。まず、Ｓ２において選曲カウンタ２８（図５）において選曲頻度の最も高いジャンル６３を検索する。その検索処理を図１０に示す。まず、Ｓ２０において選曲カウンタ２８の１番目のジャンル（Ａ）のカウント値を例えばＲＡＭ等の記憶エリアに記憶し、次いでＳ２１で次のジャンル（Ｂ）のカウント値を読み込んで、Ｓ２２でこれを１番目のジャンル（Ａ）のカウント値と比較する。参照したジャンル（Ｂ）のカウント値の方が大きい場合は、Ｓ２３でそのジャンル名を最頻ジャンルとして記憶し、記憶エリア内のカウント値をそのジャンルのカウント値で書き換える。一方、参照したジャンル（Ｂ）のカウント値が小さい場合は、Ｓ２３をスキップする。そしてＳ２４で次のジャンルがあればＳ２１に戻り、なければ検索処理を終了する。
【００２３】
こうして選曲頻度が最大のジャンルが検索されると図９のＳ３に進み、そのジャンルに係る演奏曲のデータを集めてリストデータ７０（図８）を作成し、そのリスト（図７）をモニタ７のリスト表示画面７ａに表示する（Ｓ４）。該リストにおいて演奏曲は曲番号順に表示されている。なお、本実施例では、リスト表示画面７ａにおいて、曲番号６０、曲名６１及び、歌手名６２が表示されるようになっているが、これに限らず、他の項目を付加したり、あるいは上記項目の一部を別のものと置き換えて表示することも可能である。
【００２４】
一方、Ｓ５〜Ｓ１１はカラオケ演奏を行う場合の処理を示しており、まずＳ５において、入力部１９を用いて曲演奏の予約を行う。本実施例においては、カーソルキー１９ｂの操作により、図７のリスト表示画面７ａにおいて所望する演奏曲にカーソル７１を合わせ、さらにＥＮＴＥＲキー１９ｄを操作して選曲を確定することにより曲予約ができるようになっている。一方、曲名ガイドブック（歌本）を手めくりして曲番号を探し、その曲番号を操作キー１９ａにより入力して予約することももちろん可能である。このようにして予約された演奏曲の曲番号は、ＲＡＭ１３の曲予約メモリ１３ａに蓄積される。
【００２５】
演奏曲が予約されると音楽演奏プログラム１２ａが起動し、Ｓ６において曲予約メモリ１３ａに記憶された曲番号のうち、先頭のものが読み出される。次いでＳ７において、対応する楽音データ及び歌詞データがカラオケデータ記憶部１６から、背景映像データが背景映像データ記憶部２６からそれぞれ読み出され、Ｓ８において、楽音データに基づくカラオケ演奏が実行されるとともに、読み出された歌詞テロップが背景映像とともにモニタ７に表示される。
【００２６】
次に、Ｓ９において曲演奏が終了するとＳ１０に進み、選曲カウンタ２８においてその演奏曲に対応するジャンル６３のカウント値をインクリメントする。曲予約メモリ１３ａに次の演奏曲の曲番号が記憶されていればＳ１１からＳ６に戻り、曲予約メモリ１３ａから次の演奏曲の曲番号を読み出して以下同様の処理が繰り返される。一方、次の予約曲がなければＳ１１からＳ１２に進み、終了信号が検出されれば処理は終了する。なお、曲予約メモリ１３ａに曲番号が記憶されている場合でも、曲番号の入力は随時行うことができ、演奏曲の予約を行うことができる。
【００２７】
以上の実施例では、ジャンル等の属性毎に選曲頻度を計数し、選曲頻度が最も高い属性に属する演奏曲のリストを曲番号順に表示する構成であったが、これを各演奏曲毎の選曲頻度も計数し、演奏曲を選曲頻度順に表示することも可能である。この場合、各曲の演奏頻度は、図４に示すように選曲データ記憶部２７の各演奏曲毎にそれぞれカウンタ６５を設け、リクエストされた演奏曲毎に対応するカウンタ６５をインクリメントして計数すればよい。例えば属性情報としてジャンルが指定された場合、各演奏曲のカウント値を各ジャンル毎に合計し、合計値の最も高いジャンルについて、その演奏曲をその選曲頻度順に配列してリスト表示することができる。
【００２８】
（実施例２）
図１１は、本発明のカラオケ用選曲装置の一例としての電子早見本９を含んで構成されたカラオケ装置１の電気的構成を示すブロック図である。電子早見本９は、カラオケコマンダ４に有線又は無線により接続されて使用される（なお、本実施例のカラオケ装置において実施例１と構成が同一な部分については、同一の符号を付してその説明は省略する）。
【００２９】
電子早見本９は、利用者が歌いたい曲を検索し、かつ予約することが可能な選曲装置として構成される。図１１に示すように、電子早見本９には、ＣＰＵ４１、ＲＯＭ４２、及びＲＡＭ４３を内蔵した早見本制御部４０が設けられており、この制御部４０には、選曲手段としての入力部４５、曲特定情報記憶手段としての選曲データ記憶装置４６、表示制御部４７等が接続され、表示制御部４７には例えば液晶ディスプレイ等の表示部４８（リスト表示手段）が接続されている。
【００３０】
選曲データ記憶装置４６には、実施例１のカラオケ装置１と同様の選曲データ記憶部２７及び選曲カウンタ２８が設けられている。表示部４８は、曲検索のための曲検索画面のほか、実施例１と同様の演奏曲リスト（図７）を表示する。入力部４５には、歌いたい曲を検索・入力する際に歌手名、曲名、キーワード等の指定情報を入力する検索キー５０、検索・表示された曲の中から予約すべき曲を仮選択するための選択キー５１、それを取り消すための取消キー５２、予約のために選択された曲のデータをカラオケコマンダ４へ転送する（すなわち選択を確定する）ための予約キー５３、表示部４８の表示内容をスクロールするためのスクロールキー５４等を備えている。なお、曲予約の方法は、実施例１と同様の演奏曲リスト表示画面４８ａ（図７）を見ながら行うことができるが、例えばリスト表示されなかった他の演奏曲の予約を行う場合には一般的な電子早見本と同様の方法により行うこととなる。曲予約のためのデータとしては、一般には曲番号が用いられ、曲番号が電子早見本９からカラオケコマンダ４へ送られて予約曲記憶部に格納される。この予約曲記憶部は、カラオケコマンダ４のＲＡＭ１３に設定してもよいし、これとは別のメモリを用いてもよい。
【００３１】
カラオケコマンダ４と電子早見本９とは、カラオケ制御部１０及び早見本制御部４０にそれぞれつながれた変復調器３５及び３６を介してケーブル５６により互いに接続されている。その場合、このケーブル５６を介して電子早見本９からカラオケコマンダ４へ、曲番号等の予約曲のデータが送られる。予約曲のデータ送信は無線により行うこともできる。また、カラオケコマンダ４から電子早見本９へは、カラオケデータ記憶部１６に蓄積されたカラオケデータから、曲番号、曲名、歌手名等の選曲データが取り出され、上記ケーブル５６を介して電子早見本９側へ送信されて選曲データ記憶部２７に蓄積される。なお、本実施例においてカラオケコマンダ４側のカラオケデータ記憶部１６には、選曲データ記憶部２７及び選曲カウンタ２８は設けられていない。
【００３２】
次に、図１２に示すように、早見本制御部４０のＲＯＭ４２には、下記のプログラムが格納されている。
［１］選曲プログラム４２ａ：入力部４５からの入力内容に基づいて演奏曲を選曲する処理を司る。
［２］リスト作成プログラム４２ｂ：選曲カウンタ２８（図５）のうち選曲頻度が最大となっているジャンル６３に係る演奏曲のリスト（図７）を作成する。また、ＲＡＭ４３には、リスト作成プログラム４２ｂで作成された演奏曲のリストデータ７０（図８）を格納するリストデータメモリ４３ａが設けられている。
【００３３】
上記電子早見本９においては、ＲＯＭ４２のリスト作成プログラム４２ｂにより早見本９側で演奏曲リストデータが作成され、その演奏曲リストが早見本９の表示部４８に表示される。従って、例えばカラオケ曲の演奏中であっても演奏曲リスト画面４８ａ（図７）を見ながら選曲することができる。なお、カラオケ演奏中でない場合には、カラオケコマンダ４側へ演奏曲リストデータ７０を送信し、モニタ７に演奏曲リスト画面７ａを表示する構成も可能である。
【図面の簡単な説明】
【図１】  本発明の第一実施例としてのカラオケ装置の構成を示すブロック図。
【図２】  図１のＲＡＭ及びＲＯＭの内容を示すブロック図。
【図３】  入力部の一例を示す模式図。
【図４】  選曲データ記憶部内のデータエリア構成の一例を示す説明図。
【図５】  属性情報が曲のジャンルとされた場合の選曲カウンタの構成例を示す説明図。
【図６】  同じく属性情報が曲の発売時期とされた場合の選曲カウンタの構成例を示す説明図。
【図７】  演奏曲リストの一例を示す説明図。
【図８】  そのリストデータの一例を示す説明図。
【図９】  図１のカラオケ装置の作動の流れを示すフローチャート。
【図１０】  そのジャンル検索処理の流れを示すフローチャート。
【図１１】  本発明のカラオケ用選曲装置を含むカラオケ装置の構成例を示すブロック図。
【図１２】  図１１のＲＡＭ及びＲＯＭの内容を示すブロック図。
【符号の説明】
１  カラオケ装置
６  スピーカ（カラオケ演奏手段）
７  モニタ（リスト表示手段、歌詞表示手段）
８  アンプミキサ（カラオケ演奏手段）
９  電子早見本（カラオケ用選曲装置）
１２ｅ  リスト作成プログラム（リスト作成手段）
１６  カラオケデータ記憶部（カラオケデータ記憶手段、選曲カウンタ）
１７  楽音合成部（カラオケ演奏手段）
１９  入力部（選曲手段）
４２ｂ  リスト作成プログラム（リスト作成手段）
４６  選曲データ記憶装置（曲特定情報記憶手段、選曲カウンタ）
４８  表示部（リスト表示手段）
【図１】
0003892082.tif 000002
【図２】
0003892082.tif 000003
【図３】
0003892082.tif 000004
【図４】
0003892082.tif 000005
【図５】
0003892082.tif 000006
【図６】
0003892082.tif 000007
【図７】
0003892082.tif 000008
【図８】
0003892082.tif 000009
【図９】
0003892082.tif 000010
【図１０】
0003892082.tif 000011
【図１１】
0003892082.tif 000012
【図１２】
0003892082.tif 000013